(57)【要約】【課題】  安価な構造で静音性に優れ組立作業を容易且つ確実に行うこと。【解決手段】  ターンテーブル１４に対向して磁石Ｍ及びヨークＹを備えたクランパ１７が筐体２に一定範囲内昇降可能に配置され、該クランパ１７内の下部中央に中心軸１９付き底板２６が配置されると共に、該底板２６の外周縁とクランパ１７の内周面下部とが周方向所定間隔をおいて架設した弾性変位可能な複数の弾性支持板２６ａを介して一体形成され、中心孔Ｙａが貫設されたヨークＹ及びそれに同心状に吸着したリング状磁石Ｍを中心軸１９に嵌合させて底板２６上に載置し、そのヨークＹを中心軸１９回りで所定角度回動させることにより、その磁石Ｍ及びヨークＹを弾性的に挟持する挟持機構２７とその回動を阻止するストッパ機構２８とが設けられている。【選択図】        図１
2008004209.tif 000002
【特許請求の範囲】
【請求項１】
筐体内にターンテーブルと光ピックアップとが配置され、前記ターンテーブルに対向し
て磁石及びヨークを備えたクランパが筐体に一定範囲内昇降可能に配置されており、該ク
ランパがディスクを介して前記ターンテーブルに吸着され、該ターンテーブルによりディ
スクを高速回転させ、該ディスクに記録されている情報を光ピックアップにより読み取る
ようにしたディスク装置において、前記クランパが円筒状に形成され、該クランパ内の下
部中央に中心軸付き底板が配置されると共に、該底板の外周縁とクランパの内周面下部と
が周方向所定間隔をおいて架設した弾性変位可能な複数の弾性支持板を介して一体形成さ
れ、前記クランパの内周面上部に周方向所定間隔をおいて弾性変位可能な複数の弾性アー
ムが一体突設され、前記ヨークが、中心孔を貫設した円形状ヨーク本体と、該ヨーク本体
の外周縁に各弾性アームに対向して周方向所定間隔をおいて一体突設された複数の突出部
と、該各突出部の外周縁に一体突設された翼片とを有し、該各翼片に対向してクランパの
内周面に複数の固定ストッパ片が一体突設され、前記各弾性支持板から各固定ストッパ片
の近傍まで延びる弾性変位可能な複数の可動ストッパ片が設けられ、その互いに対向する
可動ストッパ片と固定ストッパ片との間に翼片の幅よりも若干広幅の空隙が形成されてお
り、リング状磁石を同心状に吸着させたヨークの各突出部間の凹部を各弾性アームに対向
させた状態でそのヨーク及び磁石の中心孔を中心軸に嵌合させて底板上に載置し、ヨーク
を中心軸回りで所定角度回動させて各突出部を各弾性アームに係合させることにより、該
各弾性アームと底板とで磁石及びヨークを弾性的に挟持し、それとほぼ同時に、各翼片を
各空隙に嵌入させてヨークの回動を阻止することを特徴とするディスク装置。
【請求項２】
筐体内にターンテーブルと光ピックアップとが配置され、前記ターンテーブルに対向し
て磁石及びヨークを備えたクランパが筐体に一定範囲内昇降可能に配置されており、該ク
ランパがディスクを介して前記ターンテーブルに吸着され、該ターンテーブルによりディ
スクを高速回転させ、該ディスクに記録されている情報を光ピックアップにより読み取る
ようにしたディスク装置において、前記クランパが円筒状に形成され、該クランパ内の下
部中央に中心軸付き底板が配置されると共に、該底板の外周縁とクランパの内周面下部と
が周方向所定間隔をおいて架設した弾性変位可能な複数の弾性支持板を介して一体形成さ
れ、中心孔が貫設されたヨーク及びそれに同心状に吸着したリング状磁石を中心軸に嵌合
させて底板上に載置し、そのヨークを中心軸回りで所定角度回動させることにより、その
磁石及びヨークを弾性的に挟持する挟持機構とその回動を阻止するストッパ機構とが設け
られていることを特徴とするディスク装置。
【請求項３】
前記挟持機構が、クランパの内周面上部に周方向所定間隔をおいて一体突設された弾性
変位可能な複数の弾性アームを有し、前記ヨークが、中心孔を貫設した円形状ヨーク本体
と、該ヨーク本体の外周縁に各弾性アームに対向して周方向所定間隔をおいて一体突設さ
れた複数の突出部とを有しており、磁石を同心状に吸着させたヨークの各突出部間の凹部
を各弾性アームに対向させた状態でそのヨーク及び磁石の中心孔を中心軸に嵌合させて底
板上に載置し、ヨークを中心軸回りで所定角度回動させることにより、該ヨークの各突出
部を各弾性アームに係合させることを特徴とする請求項２に記載のディスク装置。
【請求項４】
前記ストッパ機構が、ヨークの各突出部の外周縁に一体突設した翼片と、該各翼片に対
向してクランパの内周面に一体突設した複数の固定ストッパ片と、前記各弾性支持板から
各固定ストッパ片の近傍まで延びる弾性変位可能な複数の可動ストッパ片とからなり、そ
の互いに対向する可動ストッパ片と固定ストッパ片との間に翼片の幅よりも若干広幅の空
隙が形成されており、ヨークを中心軸回りで所定角度回動させることにより、各翼片を各
空隙に嵌入させることを特徴とする請求項２または３に記載のディスク装置。
【発明の詳細な説明】
【技術分野】
【０００１】
本発明は、ディスク装置（例えばＤＶＤレコーダやＤＶＤプレーヤなど）に関し、特に
、安価な構造で静音性に優れ組立作業を容易且つ確実に行うことができるようにした。
【背景技術】
【０００２】
ディスク装置の一例として図９に示すものがある。これは、ＤＶＤレコーダであって、
ディスクＤを載置するためのトレイ１を前後進ａ，ｂ可能に支持する筐体２が設けられ、
該筐体２内にトラバースシャーシ３とトラバースホルダ４とが配置され、該トラバースシ
ャーシ３の後部がゴムからなる左右一対の後側弾性体５を介して筐体２に上下動ｃ，ｄ可
能に連結されると共に、そのトラバースシャーシ３の前部がゴムからなる左右一対の前側
弾性体６を介してトラバースホルダ４に連結され、該トラバースホルダ４に対向するカム
スライダ７が筐体２に前後進ａ，ｂ方向とは直交する左右方向にスライド可能に配置され
、該カムスライダ７のカム溝８に嵌入するカムピン９がトラバースホルダ４の前面に突設
されている。
【０００３】
前記トラバースシャーシ３の上面に左右一対のガイドレール１１を介して光ピックアッ
プ１２がディスクＤの半径方向に沿って往復移動可能に配置され、トラバースシャーシ３
の前部にスピンドルモータ１３が配置され、該スピンドルモータ１３の回転軸にターンテ
ーブル１４が嵌着され、該ターンテーブル１４に対向して筐体２に架設した横桁１６の中
央収納部１６ａ内にクランパ１７が一定範囲内昇降可能に配置されている。
【０００４】
従来、前記クランパ１７は、図１０に示すように、円筒状に形成されて、その外周面に
鍔部１７ａが一体突設され、該クランパ１７の内周面上部に一体形成した天板１８の下面
中央に中心軸１９が一体突設されると共に、該天板１８に中心軸１９を中心にして周方向
に所定間隔をおいて複数のフック２０が一体突設されている。なお、ターンテーブル１４
の中央突起部１４ａにもヨークｙが埋設されている。
【０００５】
動作原理を説明すると、図９の実線はプレイモードを示しており、トラバースシャーシ
３を上限位置まで上昇させて水平姿勢とし、磁石Ｍ及びヨークＹ，ｙの磁気吸引力により
、クランパ１７がディスクＤを介してターンテーブル１４に吸着されており、スピンドル
モータ１３によりターンテーブル１４を介してディスクＤを高速回転させ、光ピックアッ
プ１２によりディスクＤに記録されている映像情報の再生や録画または消去を行う。
【０００６】
クランパ１７の組立手順を説明すると、互いに吸着させた磁石Ｍ及びヨークＹの中心孔
Ｍａ，Ｙａを中心軸１９に嵌合させて該磁石Ｍ及びヨークＹを天板１８の下面に押し付け
ることにより、その磁石Ｍの外周縁を各フック２０に係合させ、ヨークＹを中心軸１９回
りで所定角度回動させてストッパ機構（図示せず）に係合させ、これによって、ヨークＹ
の回動を阻止する。
【０００７】
上記構成によれば、クランパ１７内のヨークＹが磁石Ｍよりも奥側に配置されているた
め、該ヨークＹを所定角度回動させてストッパ機構に係合させるのに手間がかかって面倒
であるという難点がある。
【０００８】
上記難点を解消する技術として特許文献１に記載したものがある。これは、図１１（ａ
）に示すように、クランパ１７に底板２２が一体形成されると共に、該底板２２の底面中
央に中心軸２３が一体突設され、該中心軸２３の上面外周部に周方向所定間隔をおいて複
数のフック２４が一体突設され、該各フック２４に対向してヨークＹに複数の係合孔２５
が貫設されている。
【０００９】
クランパ１７の組立手順を説明すると、図１１（ｂ）に示すように、下面に磁石Ｍを吸
着させたヨークＹをクランパ１７に接近させ、磁石Ｍの中心孔Ｍａ内に各フック２４を嵌
入させ、手作業でヨークＹを押し下げながら適当に動かして各係合孔２５を各フック２４
に係合させる。
【特許文献１】特開２００５−３２４３７号公報
【発明の開示】
【発明が解決しようとする課題】
【００１０】
上記従来の構成では、手作業でヨークＹを押し下げながら適当に動かして各係合孔２５
を各フック２４に係合させる際に、該各フック２４がヨークＹの下に隠れて見えないので
、その各フック２４が過度に押し曲げられて変形したり損傷されることがあり、これによ
って、磁石Ｍ及びヨークＹのクランパ１７に対する取り付けが不安定になる。
【００１１】
また、各フック２４はヨークＹがクランパ１７内から抜け出ないようにしているだけで
あるから、該ヨークＹと底板２２との間の間隔ｔ１に比べて磁石Ｍの厚さｔ２が寸法誤差
などによりわずかでも小さいときには、磁石Ｍと底板２２との間に間隙αが生じるため、
ターンテーブル１４の高速回転により磁石Ｍ及びヨークＹが振動して不快な騒音を発生さ
せるおそれがある。
【００１２】
更に、各フック２４間の間隔を十分にとるためには、中心軸２３の外径ｈ１を大きくす
る必要があり、その外径ｈ１を大きくした分だけ磁石Ｍの外径ｈ２も大きくなるので、該
磁石Ｍが大型化してコストアップになる。
【００１３】
本発明は、上記従来の欠点に鑑み、安価な構造で静音性に優れ組立作業を容易且つ確実
に行うことができるようにしたディスク装置を提供することを目的としている。
【課題を解決するための手段】
【００１４】
上記目的を達成するため、請求項１に記載の発明は、筐体内にターンテーブルと光ピッ
クアップとが配置され、前記ターンテーブルに対向して磁石及びヨークを備えたクランパ
が筐体に一定範囲内昇降可能に配置されており、該クランパがディスクを介して前記ター
ンテーブルに吸着され、該ターンテーブルによりディスクを高速回転させ、該ディスクに
記録されている情報を光ピックアップにより読み取るようにしたディスク装置において、
前記クランパが円筒状に形成され、該クランパ内の下部中央に中心軸付き底板が配置され
ると共に、該底板の外周縁とクランパの内周面下部とが周方向所定間隔をおいて架設した
弾性変位可能な複数の弾性支持板を介して一体形成され、前記クランパの内周面上部に周
方向所定間隔をおいて弾性変位可能な複数の弾性アームが一体突設され、前記ヨークが、
中心孔を貫設した円形状ヨーク本体と、該ヨーク本体の外周縁に各弾性アームに対向して
周方向所定間隔をおいて一体突設された複数の突出部と、該各突出部の外周縁に一体突設
された翼片とを有し、該各翼片に対向してクランパの内周面に複数の固定ストッパ片が一
体突設され、前記各弾性支持板から各固定ストッパ片の近傍まで延びる弾性変位可能な複
数の可動ストッパ片が設けられ、その互いに対向する可動ストッパ片と固定ストッパ片と
の間に翼片の幅よりも若干広幅の空隙が形成されており、リング状磁石を同心状に吸着さ
せたヨークの各突出部間の凹部を各弾性アームに対向させた状態でそのヨーク及び磁石の
中心孔を中心軸に嵌合させて底板上に載置し、ヨークを中心軸回りで所定角度回動させて
各突出部を各弾性アームに係合させることにより、該各弾性アームと底板とで磁石及びヨ
ークを弾性的に挟持し、それとほぼ同時に、各翼片を各空隙に嵌入させてヨークの回動を
阻止することを特徴としている。
【００１５】
請求項２に記載の発明は、筐体内にターンテーブルと光ピックアップとが配置され、前
記ターンテーブルに対向して磁石及びヨークを備えたクランパが筐体に一定範囲内昇降可
能に配置されており、該クランパがディスクを介して前記ターンテーブルに吸着され、該
ターンテーブルによりディスクを高速回転させ、該ディスクに記録されている情報を光ピ
ックアップにより読み取るようにしたディスク装置において、前記クランパが円筒状に形
成され、該クランパ内の下部中央に中心軸付き底板が配置されると共に、該底板の外周縁
とクランパの内周面下部とが周方向所定間隔をおいて架設した弾性変位可能な複数の弾性
支持板を介して一体形成され、中心孔が貫設されたヨーク及びそれに同心状に吸着したリ
ング状磁石を中心軸に嵌合させて底板上に載置し、そのヨークを中心軸回りで所定角度回
動させることにより、その磁石及びヨークを弾性的に挟持する挟持機構とその回動を阻止
するストッパ機構とが設けられていることを特徴としている。
【００１６】
請求項３に記載の発明は、請求項２に記載の発明において、前記挟持機構が、クランパ
の内周面上部に周方向所定間隔をおいて一体突設された弾性変位可能な複数の弾性アーム
を有し、前記ヨークが、中心孔を貫設した円形状ヨーク本体と、該ヨーク本体の外周縁に
各弾性アームに対向して周方向所定間隔をおいて一体突設された複数の突出部とを有して
おり、磁石を同心状に吸着させたヨークの各突出部間の凹部を各弾性アームに対向させた
状態でそのヨーク及び磁石の中心孔を中心軸に嵌合させて底板上に載置し、ヨークを中心
軸回りで所定角度回動させることにより、該ヨークの各突出部を各弾性アームに係合させ
ることを特徴としている。
【００１７】
請求項４に記載の発明は、請求項２または３に記載の発明において、前記ストッパ機構
が、ヨークの各突出部の外周縁に一体突設した翼片と、該各翼片に対向してクランパの内
周面に一体突設した複数の固定ストッパ片と、前記各弾性支持板から各固定ストッパ片の
近傍まで延びる弾性変位可能な複数の可動ストッパ片とからなり、その互いに対向する可
動ストッパ片と固定ストッパ片との間に翼片の幅よりも若干広幅の空隙が形成されており
、ヨークを中心軸回りで所定角度回動させることにより、各翼片を各空隙に嵌入させるこ
とを特徴としている。
【発明の効果】
【００１８】
請求項１に記載の発明は実施の一形態（図１〜図８参照）に対応するものであって、こ
れによれば、磁石を同心状に吸着させたヨークの各凹部を各弾性アームに対向させ、該ヨ
ーク及び磁石を中心軸に嵌合させて底板上に載置した状態でそのヨークを所定角度回転さ
せるだけで、磁石及びヨークが各弾性アームと底板とで弾性的に挟持されると共に、ヨー
クの各翼片が固定ストッパと可動ストッパとの間の空隙に回動不能に嵌入されるから、ク
ランパの組立作業を容易且つ確実に行うことができる。
【００１９】
また、ヨークの各突出部を各弾性アームに係合させた際に、該各弾性アームに過度の負
荷がかからず、該各弾性アームが押し曲げられて変形したり損傷されないから、磁石及び
ヨークのクランパに対する取り付けを確実に行うことができる。
【００２０】
更に、磁石及びヨークの厚さに寸法誤差があっても、その磁石及びヨークを各弾性アー
ムと底板とで弾性的に挟持して寸法誤差を吸収するので、ターンテーブルを高速回転させ
たときに従来のように磁石及びヨークが振動して不快な騒音を発生させることがなく、静
音性に優れたディスク装置を提供することができる。
【００２１】
しかも、中心軸の外径を小さくすることによって、磁石の外径も小さくなり、その磁石
を小型化してコストダウンを図ることができる。
【００２２】
請求項２に記載の発明は基本形態に対応するものであって、これによれば、同心状に吸
着させた磁石及びヨークを中心軸に嵌合させて底板上に載置した状態で該ヨークを所定角
度回動させるだけで、その磁石及びヨークが挟持機構とストッパ機構とにより回動不能且
つ弾性的に挟持されるようになっており、クランパの組立作業を容易且つ確実に行うこと
ができる。
【００２３】
請求項３に記載の発明によれば、ヨークの各凹部を各弾性アームに対向させ、ヨーク及
び磁石を中心軸に嵌合させて底板上に載置した状態で該ヨークを中心軸回りで所定角度回
動させて、そのヨークの各突出部を各弾性アームに係合させるようになっており、その係
合の際に、各弾性アームに過度の負荷がかからず、該各弾性アームが押し曲げられて変形
したり損傷されることがないから、磁石及びヨークのクランパに対する取り付けを確実に
行うことができる。
【００２４】
また、磁石及びヨークの厚さに寸法誤差があっても、その磁石及びヨークを各弾性アー
ムと底板とで弾性的に挟持して寸法誤差を吸収するので、ターンテーブルを高速回転させ
たときに従来のように磁石及びヨークが振動して不快な騒音を発生させることがなく、静
音性に優れたディスク装置を提供することができる。
【００２５】
更に、中心軸の外径を小さくすることによって、磁石の外径も小さくなり、その磁石を
小型化してコストダウンを図ることができる。
【００２６】
請求項４に記載の発明によれば、同心状に吸着させた磁石及びヨークを中心軸に嵌合さ
せて底板上に載置した状態で該ヨークを所定角度回動させるだけで、そのヨークの各翼片
が可動ストッパと固定ストッパとの間の空隙に嵌入されるから、磁石及びヨークをクラン
パに不測に回動しないように確実に固定することができる。
【発明を実施するための最良の形態】
【００２７】
図１〜図４は本発明の実施の一形態であるディスク装置の要部を示すものであって、ク
ランパ１７が円筒状に形成され、該クランパ１７内の下部中央に中心軸１９付き底板２６
が配置されると共に、該底板２６の外周縁とクランパ１７の内周面下部とが周方向所定間
隔をおいて架設した弾性変位可能な複数（この実施の形態では３つ）の弾性支持板２６ａ
を介して一体形成され、磁石Ｍ及びヨークＹを弾性的に挟持する挟持機構２７とその回動
を阻止するストッパ機構２８とが設けられている。上記以外の構成は図９及び図１０に示
す構成とほぼ同じであるから、同一部分に同一符号を付してその説明を省略する。
【００２８】
図２に示すように、磁石Ｍがリング状に形成され、また、ヨークＹが、磁石Ｍの中心孔
Ｍａとほぼ同径の中心孔Ｙａを貫設した円板状ヨーク本体３０と、該ヨーク本体３０の外
周縁に周方向所定間隔をおいて一体突設した複数（この実施の形態では３つ）の突出部３
１と、該各突出部３１の外周縁に一体突設した翼片３２とを有し、各突出部３１間に凹部
３３が形成されている。
【００２９】
前記挟持機構２７は、図５〜図７に示すように、クランパ１７の内周面上部に周方向所
定間隔をおいて一体突設された弾性変位可能な複数（この実施の形態では３本）の弾性ア
ーム２７Ａを有し、該各弾性アーム２７Ａが縦断面略Ｌ字状に形成され、その各弾性アー
ム２７Ａの下向きに直角に折れ曲がる先端部２７ａがヨークＹの各突出部３１に対向され
、その先端部２７ａと底板２６との間の間隔ｔ３が磁石Ｍ及びヨークＹの厚さｔ４よりも
若干小さく設定されており、その磁石Ｍ及びヨークＹを各弾性アーム２７Ａと底板２６と
で弾性的に挟持する。
【００３０】
前記ストッパ機構２８は、図５〜図７に示すように、ヨークＹの各翼片３２に対向して
クランパ１７の内側面から各弾性支持板２６ａの一側縁にかけて一体突設した固定ストッ
パ片２８Ａと、各弾性支持板２６ａの他側縁にから各固定ストッパ片２８Ａの近傍まで延
びる弾性変位可能な可動ストッパ片２８Ｂとを有し、該可動ストッパ片２８Ｂの先端部を
略三角形状に形成することにより、その可動ストッパ片２８Ｂの端面２８ａの高さｈ３が
大きく設定され、固定ストッパ片２８Ａと可動ストッパ片２８Ｂとの間の空隙３５の幅ｋ
１が翼片３２の幅ｋ２よりも若干大きく設定されている。
【００３１】
クランパ１７の組立手順を説明すると、図８（ａ）に示すように、磁石Ｍをを同心状に
吸着させたヨークＹの各凹部３３を各弾性アーム２７Ａに対向させた状態でそのヨークＹ
及び磁石Ｍの中心孔Ｍａ，Ｙａを中心軸１９に嵌合させて底板２６上に載置し、ヨークＹ
を中心軸１９回りで矢印ｅに所定角度回動させ、図８（ｂ）に示すように、ヨークＹの各
突出部３１を各弾性アーム２７Ａの先端部２７ａに係合させることにより、該各弾性アー
ム２７Ａと底板２６とで磁石Ｍ及びヨークＹを弾性的に挟持し（図７参照）、それとほぼ
同時に、各翼片３２により各可動ストッパ片２８Ｂの先端部が押し下げられ、その各翼片
３２を空隙３５に嵌入させてヨークＹの回動を阻止する（図６参照）。
【００３２】
上記構成によれば、磁石Ｍ及びヨークＹを底板２６上に載置して回動させるだけで、そ
の磁石Ｍ及びヨークＹが各弾性アーム２７Ａと底板２６とで弾性的に挟持されると共に、
ヨークＹの各翼片３２が空隙３５に回動不能に嵌入されるから、クランパ１７の組立作業
を容易且つ確実に行うことができる。
【００３３】
また、ヨークＹの各突出部３１を各弾性アーム２７Ａに係合させた際に、各弾性アーム
２７Ａに過度の負荷がかからず、該各弾性アーム２７Ａが押し曲げられて変形したり損傷
されないから、磁石Ｍ及びヨークＹのクランパに対する取り付けを確実に行うことができ
る。
【００３４】
更に、磁石Ｍ及びヨークＹの厚さｔ４に寸法誤差があっても、その磁石Ｍ及びヨークＹ
を各弾性アーム２７Ａと底板２６とで弾性的に挟持して寸法誤差を吸収するので、ターン
テーブル１４を高速回転させたときに従来のように磁石Ｍ及びヨークＹが振動して不快な
騒音を発生させることがなく、静音性に優れたディスク装置を提供することができる。
【００３５】
しかも、中心軸１９の外径を小さくすることによって、磁石Ｍの外径も小さくなり、そ
の磁石Ｍを小型化してコストダウンを図ることができる。
【図面の簡単な説明】
【００３６】
【図１】（ａ）は本発明の実施の一形態であるディスク装置の要部を示す縦断面図、（ｂ）は同要部の平面図である。
【図２】同分解斜視図である。
【図３】同クランパの底面側斜視図である。
【図４】（ａ）は同クランパの縦断面図、（ｂ）はＡ−Ａ矢視図、（ｃ）はＢ−Ｂ矢視図である。
【図５】同クランパの要部拡大斜視図である。
【図６】図５のＣ−Ｃ矢視図である。
【図７】図５のＤ−Ｄ矢視図である。
【図８】（ａ）は組立手順の前半を示す平面図、（ｂ）は同手順の後半を示す平面図である。
【図９】ディスク装置の概略縦断面図である。
【図１０】従来の一例を示す縦断面図である。
【図１１】（ａ）及び（ｂ）は従来の他の例を示す縦断面図である。
【符号の説明】
【００３７】
２        筐体
１２      光ピックアップ
１４      ターンテーブル
１７      クランパ
１９      中心軸
２６      底板
２６ａ    弾性支持板
２７      挟持機構
２７Ａ    弾性アーム
２８      ストッパ機構
２８Ａ    固定ストッパ片
２８Ｂ    可動ストッパ片
３０      ヨーク本体
３１      突出部
３２      翼片
３３      凹部
３５        空隙
【図１】
2008004209.tif 000003
【図２】
2008004209.tif 000004
【図３】
2008004209.tif 000005
【図４】
2008004209.tif 000006
【図５】
2008004209.tif 000007
【図６】
2008004209.tif 000008
【図７】
2008004209.tif 000009
【図８】
2008004209.tif 000010
【図９】
2008004209.tif 000011
【図１０】
2008004209.tif 000012
【図１１】
2008004209.tif 000013